(57)【要約】      （修正有）【課題】商用電源遮断復帰後でも、自動起動機能の設定を存続しユーザビィティ向上を図ること。【解決手段】ＣＰＵ１２から出力されるスイッチ機構１３をオンオフするオンオフ制御信号と、ユーザの操作により前記スイッチ機構をオンオフする画像形成装置の起動停止手段と、前記スイッチ機構はＡＣＤＣコンバータ３の出力を前記ＣＰＵ１２に供給遮断する機能を有し、前記起動停止手段は起動状態を維持できない構成で、かつ、オンオフ制御信号のオン信号で前記スイッチ機構をオンする構成を有し、２次電池に接続され時間を計数するタイマーＩＣ２５を備え、所定の時間使用されない、若しくは所定の時刻になると前記スイッチ機構がオフする前記画像形成装置の自動起動停止手段を有する画像形成装置において、前記タイマーＩＣには記憶手段を有し、前記自動起動停止手段による停止状態を記憶することを特徴とする画像形成装置。【選択図】図１
2012145857.tif 000002
【特許請求の範囲】
【請求項１】
商用電源より電力が供給されると起動するＡＣＤＣコンバータと、前記ＡＣＤＣコンバータの出力に接続されたスイッチ機構と、前記スイッチ機構の出力に接続されたＣＰＵと、前記ＣＰＵから出力される前記スイッチ機構をオンオフするオンオフ制御信号と、ユーザの操作により前記スイッチ機構をオンオフする画像形成装置の起動停止手段と、前記スイッチ機構は前記ＡＣＤＣコンバータの出力を前記ＣＰＵに供給遮断する機能を有し、前記起動停止手段は起動状態を維持できない構成で、かつ、前記オンオフ制御信号のオン信号で前記スイッチ機構をオンする構成を有し、２次電池に接続され時間を計数するタイマーＩＣを備え、所定の時間使用されない、若しくは所定の時刻になると前記スイッチ機構がオフする前記画像形成装置の自動起動停止手段を有する画像形成装置において、
前記タイマーＩＣには前記記憶手段を有し、前記自動起動停止手段による停止状態を記憶することを特徴とする画像形成装置。
【発明の詳細な説明】
【技術分野】
【０００１】
本発明は、画像形成装置の自動起動停止手段にて画像形成装置の起動停止を可能とした画像形成装置において、簡単な回路を追加することで、商用電源遮断からの復帰後、商用電源遮断前に設定した前記自動起動停止手段が記憶している設定に戻る動作を行なう事でユーザビリティーを向上させる技術に関するものである。
【背景技術】
【０００２】
複写機やプリンタ等の画像形成装置に関し、特許文献１には電源のオン、オフを制御する技術が開示されている。
【０００３】
図５は従来例における画像形成装置のブロック図である。１は商用電源であり商用コンセントから電力を供給するものである。２は画像形成装置に供給するＤＣ電圧を生成する第１のＡＣＤＣコンバータ３から発生するノイズを前記商用電源１へ流出することを防止する電源用ラインフィルタであり、前記第１のＡＣＤＣコンバータ３は前記商用電源１から電力が供給されると常に駆動し画像形成装置にＤＣ電圧を供給する。
【０００４】
一方、前記第１のＡＣＤＣコンバータ３からの電力供給を受けて駆動する画像形成装置の制御を司るＣＰＵ１２からの信号により開閉する電源用リレー４を経由して前記電源用ラインフィルタ２と接続される第２のＡＣＤＣコンバータ５は、画像形成装置の駆動を行なうアクチュエータ群６に電力を供給する。また、７は前記ＣＰＵ１２からの信号により開閉し、シート材にトナーを熱定着させるための定着器への電力供給を供給遮断する定着器用リレーであり、８は、前記シート材を熱定着させる熱源であるヒータ９に通電を行なう定着駆動回路１０から発生するノイズを前記商用電源１に流出させない為の定着用ＡＣフィルタである。また、１１は前記ヒータの温度を検出するサーミスタであり、前記サーミスタ１１の出力は前記ＣＰＵ１２へ送信され、前記ＣＰＵ１２は前記サーミスタ１１が所定の温度になるよう前記定着駆動回路１０を制御する。続いて前記第１のＡＣＤＣコンバータ３の出力に接続されている回路について説明を行なう。１３は前記第１のＡＣＤＣコンバータの出力に接続されている回路への電力を供給遮断するスイッチ機構であるＦＥＴである。また、前記スイッチ機構であるＦＥＴ１３の入力側の電源ラインを入力側電源ライン１４と呼び、出力側の電源ラインを出力側電源ライン１５と呼ぶことにする。
【０００５】
続いて、画像形成装置の電源起動回路５８の説明を行なう。１６はオンを維持できないスイッチを用いた電源スイッチ回路であり、前記電源スイッチ回路１６への電力は、前記入力側電源ライン１４から供給される。前記スイッチが押されると前記電源スイッチ回路１６は一定時間Ｈｉｇｈレベルを保持する前記スイッチ機構であるＦＥＴのオンオフを行うオンオフ信号２１を前記ＣＰＵ１２とＮＯＲ回路１７へ出力する。続いて、前記ＮＯＲ回路１７は前記電源スイッチ回路１６の出力であるＨｉｇｈレベルの信号を受けてＬｏｗレベルを出力する。続いて前記スイッチ機構であるＦＥＴ１３は前記ＮＯＲ回路１７のＬｏｗレベルの出力信号を受けてオンする。
【０００６】
ここで前記スイッチ機構であるＦＥＴ１３のゲート端子と前記入力側電源ライン１４間に接続されている１８は、前記スイッチ機構であるＦＥＴ１３のプルアップ抵抗であり、１９は前記スイッチ機構であるＦＥＴ１３のゲート抵抗である。続いて、前記スイッチ機構であるＦＥＴ１３が導通すると前記ＣＰＵ１２に電力が供給され前記ＣＰＵ１２が起動し、前記ＣＰＵ１２は前記スイッチ機構であるＦＥＴ１３の導通遮断を制御するオンオフ制御信号２０を前記ＮＯＲ回路１７へ出力し、前記オンオフ信号２１がＬｏｗレベルになっても前記スイッチ機構であるＦＥＴ１３のオン状態を維持する。前記入力側電源ライン１４は主に画像形成装置の小信号用回路へ電力を供給しており、画像形成装置の状態を検出するセンサ群２２やホストコンピュータからの画像情報をラスタデータへ変換するコントローラ２３内部の画像処理回路２４に電力を供給する。
【０００７】
また、前記入力側電源ライン１４は、前記電源スイッチ回路１６や前記コントローラ２３内に設けられている時刻を計数し設定された時刻に達すると前記スイッチ機構であるＦＥＴ１３をオンさせるタイマーＩＣ２５に接続されている。そして、前記タイマーＩＣ２５は前記スイッチ機構であるＦＥＴ１３が遮断状態であっても電力が供給されるように前記入力側電源ライン１４から電力が供給される構成となっている。また、６１は前記タイマーＩＣ２５から前記ＣＰＵ１２へ時刻を送信する時刻情報信号であり、前記ＣＰＵ１２は前記時刻信号６１を元に前記自動停止機能の停止時刻を管理している。
【０００８】
続いて図６は、従来例における画像形成装置の起動停止動作を説明するブロック図である。画像形成装置が使用されない時間帯の消費電力を削減する省エネ機能に対応すべく、画像形成装置は設定された時間で自動的に停止する自動停止機能と、所定の時間で自動的に起動する自動起動機能を備えている。画像形成装置は前述したように自動的に起動停止する為、画像形成装置を起動停止する為のスイッチはオン状態を保持しない電源スイッチ２６を用いている。例えばタクトスイッチやプッシュスイッチ等であり、スイッチを押す動作を行っている間はオン状態を維持し、スイッチを押す動作を止めるとオフ状態になる動作するスイッチである。逆にオン状態を保持するスイッチを前記電源スイッチに用いた場合、画像形成装置が自動的に停止した場合、前記電源スイッチはオンの状態で停止状態になり、ユーザに違和感を与える事になる。一方、オン状態を保持スイッチを前記電源スイッチに用いた場合は、画像形成装置が自動的に停止した場合でも前記電源スイッチの状態は変わらない為ユーザに違和感を与えることは無い。
【０００９】
次に、画像形成装置が前記電源スイッチ２６を押すことにより起動する動作を説明する。前記商用電源１から電力が供給され、前記第１のＡＣＤＣコンバータ３が起動している状態で前記電源スイッチ２６を押すと、前記入力側電源ライン１４から電流が流れ、突入電流を制限する電流制限抵抗２７を経由し、前記スイッチ機構であるＦＥＴ１３の導通を一時的に保持する為の電源スイッチ用コンデンサ２８に充電され、前記スイッチ機構であるＦＥＴ１３のゲートをＬｏｗレベルに下げる為の電源スイッチ用デジタルトランジスタ３０のベースがＨｉｇｈレベルとなり前記電源スイッチ用デジタルトランジスタ３０がオンし、前記電源スイッチ２６がオフしても前記電源スイッチ用コンデンサ２８に充電された電荷によりによって電源スイッチ用デジタルトランジスタ３０は一定時間オンを維持する。なお、前記電源スイッチ用コンデンサ２８の両端に発生した電圧は前記オンオフ信号２１である。また、画像形成装置は動作を停止する際に後処理を行なう必要があり、前記後処理を行うタイミングを検出する為に、前記オンオフ信号２１は前記ＣＰＵへも出力される。また、２９は前記電源スイッチ用コンデンサ２８の放電抵抗であり、前記電源スイッチ用コンデンサ２８に発生している電圧を徐々に減衰させるものである。
【００１０】
なお、前述した電源スイッチ回路１６は、前記電源スイッチ２６、前記電流制限抵抗２７、前記電源スイッチ用コンデンサ２８、前記電源スイッチ用コンデンサの放電抵抗２９で構成された回路である。このように前記電源スイッチ２６が押されると一時的にスイッチ機構であるＦＥＴ１３は導通し前記ＣＰＵ１２が起動し、前記ＣＰＵ１２は前記オンオフ信号２１がＬｏｗレベルに至る前に前記オンオフ制御信号２０にＨｉｇｈレベルを出力し、前記スイッチ機構であるＦＥＴ１３のゲートをＬｏｗレベルに下げる為のスイッチ機構であるＦＥＴオンオフ制御用デジタルトランジスタ３１を導通させ、前記ＣＰＵ１２から出力される前記オンオフ制御信号２０がＨｉｇｈレベルを出力している限り前記スイッチ機構であるＦＥＴ１３は導通状態を維持する事で、画像形成装置の起動状態を維持する。以上の動作が電源スイッチを押すことによる画像形成装置の起動動作である。
【００１１】
続いて、電源スイッチを押すことで画像形成装置を停止させる動作について説明する。画像形成装置が起動している状態で前記電源スイッチ２６を押すと前記電源スイッチ用コンデンサ２８が充電され一時的に前記オンオフ信号２１はＬｏｗレベルからＨｉｇｈレベルと変化する。前記ＣＰＵ１２は前記オンオフ信号２１の立ち上がり波形を検出すると前記電源スイッチが押された事を認識し、画像形成装置を停止させる為のオフ処理を開始する。前記オフ処理が完了すると前記オンオフ制御信号２０をＬｏｗレベルにする事でオンオフ制御用デジタルトランジスタ３１をオフさせ前記スイッチ機構であるＦＥＴ１３を遮断する。
【００１２】
以上の動作が、電源が起動している状態で電源スイッチを押すことによる画像形成装置を停止させる動作である。続いて、画像形成装置が自動的に停止する自動停止機能の動作について説明する。前記自動停止機能は画像形成装置が接続されているホストコンピュータやオペレーションパネル等の外部入力機器（非図示）から設定された情報に基き一定時間、画像形成装置への操作が行われなかった時や所定の時刻になった時に自動的に画像形成装置を停止して消費電力を削減する機能である。前記外部入力機器より入力された画像形成装置を自動的に停止させる為の設定情報は前記画像処理回路２４に記録され、前記設定情報による設定条件に合致した場合、前記画像処理回路２４から前記ＣＰＵ１２へ画像形成装置を停止させる為の自動停止信号３２が出力され、前記ＣＰＵ１２は前記オンオフ制御信号２０をＬｏｗレベルにし前記スイッチ機構であるＦＥＴ１３を切断する。以上の動作が自動停止機能の動作である。
【００１３】
続いて、自動起動機能の動作について説明する。自動起動機能は、画像形成装置が所定の時刻になると自動的に画像形成装置が起動しプリント命令を受信すると即座にプリントできるスタンバイ状態になる機能であり、自動停止機能と同時に使用することで画像形成装置が使用されない夜間や長期休業の間、画像形成装置の消費電力を削減し、かつ、使用される時刻になると自動的にスタンバイ状態になることでユーザビリティーを損なうことなく消費力を削減するものである。続いて、前記タイマーＩＣ２５内の詳細を説明する。前記タイマーＩＣ２５内には、所定の時刻を記憶する時刻設定回路３３と、時刻を計数するタイマー３５で構成され、前記タイマー３５は時刻情報を時刻情報信号としてＡＮＤ回路（デジタルコンパレータ）３４と前記ＣＰＵ１２へ出力する。前記時刻設定回路３３の設定時刻は、前記外部入力機器により入力され、前記画像処理回路２４を経由し前記時刻設定回路３３に送信され、前記時刻設定回路３３は設定された時刻を設定時刻信号６０としてＡＮＤ回路３４へ出力している。
【００１４】
一方、前記タイマー３５の出力信号である時刻情報信号６１も前記ＡＮＤ回路３４へ出力される。そして、前記ＡＮＤ回路３４の入力信号である前記設定時刻信号６０と前記時刻情報信号６１が一致すると前記ＡＮＤ回路の出力はＨｉｇｈレベル信号を出力する。また、前記時刻設定回路３３と、前記ＡＮＤ回路３４の電力は前記入力側電源ライン１４から供給され画像形成装置が停止している状態でも動作している構成となっている。前記タイマー３５は２次電池３６により駆動され、前記商用電源１の電力が絶たれても常に動作している構成となっている。前記ＡＮＤ回路３４の出力信号６９は、一時的にＨｉｇｈを保持する為の自動起動用コンデンサ５８に接続され、前記自動起動用コンデンサ５８の電荷を放電する為の自動起動用放電抵抗５９の抵抗値と前記自動起動用コンデンサ５８の容量値によって決まる時定数で放電される。
【００１５】
続いて、前記スイッチ機構であるＦＥＴ１３を導通させる為、自動起動用デジタルトランジスタ３７のベースへ前記自動起動用コンデンサ５８の電圧が印加されており前記自動起動用デジタルトランジスタ３７を一時的にオンし、前記スイッチ機構であるＦＥＴ１３を導通させ画像形成装置を起動させる。なお、電源スイッチ用デジタルトランジスタ３０、スイッチ機構であるＦＥＴ１３、オンオフ制御用デジタルトランジスタ３１、自動起動用デジタルトランジスタ３７は前記ＮＯＲ回路１７である。
【００１６】
図７は従来例における状態遷移図であり、画像形成装置の電源起動停止についての状態の遷移を説明するものである。３８は画像形成装置に初めて前記商用電源１から電力が供給された画像形成装置の停止状態であり、自動起動機能停止の停止状態である。前記電源スイッチ２６を押す３９と画像形成装置の初期チェックを行なう初期化処理４０に状態が遷移する。前記初期化処理４０が完了すると４１、プリント指示を待機するスタンバイ状態４２へ遷移する。前記スタンバイ状態４２で前記電源スイッチ２６を押す３９動作を行なうと画像形成装置を停止させる停止処理４３を行ない、停止処理完了４４後、前記画像形成装置の停止状態３８へ遷移する。
【００１７】
また、前記スタンバイ状態４２で自動停止機能が動作すると４７、停止処理を行ない４３、停止処理完了４４後、自動起動が動作している画像形成装置の停止状態４８に遷移する。前記自動起動が動作している画像形成装置の停止状態４８で自動起動動作するか、若しくは電源スッチが押される４９と前記初期化処理４０へ遷移し、前記初期化処理完了４１後、前記スタンバイ状態４２へ遷移する。また、前記スタンバイ状態４２でプリント命令を受信するとプリントを開始４５しプリント状態４６へ遷移する。前記プリント状態４６でプリントが終了４７すると前記スタンバイ状態４２へ遷移する。一方、前記プリント状態４６の状態で前記電源スイッチを押されると３９、プリント動作終了後、前記停止処理４３へ遷移する。
【００１８】
続いて画像形成装置が自動起動した時の動作に関してタイムチャートを用いて説明する。図８は画像形成装置が自動起動した時タイムチャートである。
【００１９】
本実施例では午前６時（06：00（時：分））に自動起動する事を例に説明する。６０は前記時刻設定回路３３の出力である設定時刻信号であり、６１は前記タイマー３５の出力である時刻情報信号である。午前６時のタイミング６２で前記時刻情報信号６１が06：00を出力すると前記ＡＮＤ回路３４の出力信号６９はＨｉｇｈとなり、前記自動起動用コンデンサ５８を充電し、前記自動起動用コンデンサ５８の容量と前記自動起動用放電抵抗５９の抵抗値で決まる時定数により徐々に減少する電圧波形となる。前記自動起動用デジタルトランジスタ３７は、所定のベース閾値電圧７０になるまでＯＮ状態を維持し前記ベース閾値電圧７０以下になるとオフ状態となる６５。前記自動起動用デジタルトランジスタ３７がオンになると前記スイッチ機構であるＦＥＴ１３のゲート電圧６６がＬｏｗになり前期スイッチ機構であるＦＥＴ１３がオンし、前記出力側電源ラインがＬｏｗからＨｉｇｈ電圧に切り替わる。続いて、前記前記自動起動用デジタルトランジスタ３７がオフになる前に前記オンオフ制御信号２０をＨｉｇｈへ切り替える事により前記スイッチ機構であるＦＥＴ１３のオンを維持し画像形成装置を起動させる。
【００２０】
続いて、画像形成装置が自動停止した時の動作に関してタイムチャートを用いて説明する。図９は画像形成装置が自動停止した時タイムチャートである。本実施例では午後１１時に自動停止する事を例に説明する。６１は前記時刻情報信号であり時刻を計数している。前記ＣＰＵ１２は前記時刻情報信号６１を受信し設定された午後１１時（23：00）を受信すると６７、停止処理を所定の時間行った後７１、前記オンオフ制御信号２０をＬｏｗへ切り替え前記スイッチ機構であるＦＥＴ１３のゲート電圧６６をＬｏｗに切り替え、前記出力側電源ライン１５をＬｏｗに切り替え、画像形成装置を停止させる。
【先行技術文献】
【特許文献】
【００２１】
【特許文献１】特開平６−３１９００３号公報
【発明の概要】
【発明が解決しようとする課題】
【００２２】
しかしながら、上記従来例では以下に示す問題点があった。
【００２３】
一般的には画像形成装置は使用する時間帯が決まっている場合が多く、深夜等、使用されない時間帯にも電力は消費されている。前記使用されていない時間帯の消費電力を削減する為に、深夜や長期休業期間などのユーザが画像形成装置を使用しない時間帯は電源スイッチを操作することで画像形成装置を停止させていた。従来例においては、使用されない時間帯の電力削減とユーザビリティー向上を目的として画像形成装置の自動停止機能、自動起動機能を設け、設定された時刻に画像形成装置を自動的にオフし、設定された時刻に自動に起動していた。
【００２４】
しかしながら自動起動機能、自動停止機能を備えた画像形成装置おいて、画像形成装置の停止状態の時に、停電等により商用電源からの電力供給が遮断された場合、前記商用電源からの電力遮断復帰後は自動起動機能が動作していない問題があった。自動起動機能が動作しない状態では、所定の時刻に至っても電源が起動せず、画像形成装置を起動させる為にユーザが電源スイッチをオンさせる必要が有った。更にネットワーク上で使用される画像形成装置おいては、画像形成装置によっては電源スイッチをオンさせてからプリント可能な状態になるまで数分間の時間がかかっていた。また、複数台のコンピュータで複数台の画像形成装置を共有して使用している場合、故意に所望の画像形成装置の起動を確認しない限り、ユーザがプリント指示をしてから画像形成装置の電源が起動されていない事が確認出来ない為、ユーザに煩わしさを与えていた。
【００２５】
本特許は上記問題を鑑み、前記タイマーＩＣに記憶手段を設け、商用電源遮断前の自動起動機能の動作有無を記憶し、商用電源遮断からの復帰後、前記記憶手段の情報に基き自動起動機能が商用電源遮断前の状態になることにより、ユーザが意図した状態の画像形成装置の停止状態に戻す。
【００２６】
第１の目的とするところは、画像形成装置の停止状態で商用電源遮断から復帰すると、自動停止機能で画像形成装置を停止させていた場合、自動起動機能で起動する状態で画像形成装置が停止状態に復帰する事を目的とする。
【課題を解決するための手段】
【００２７】
上記目的１を達成する為に、請求項１記載の画像形成装置では、タイマーＩＣに記憶手段を設け、前記自動起動停止手段による停止状態を記憶することで、商用電源遮断からの復帰後、自動停止機能で画像形成装置を停止させていた場合、自動停止状態に戻す。
【発明の効果】
【００２８】
以上説明したように、上記目的１を達成する為に、請求項１記載の画像形成装置では、タイマーＩＣに記憶手段を設け、前記自動起動停止手段による停止状態を記憶することで、商用電源の遮断からの復帰後、自動停止機能で画像形成装置を停止させていた場合、自動起動機能で起動する状態で画像形成装置が停止状態に復帰させる事ができる
【図面の簡単な説明】
【００２９】
【図１】実施例１における商用電源遮断から復帰する際の動作を説明するブロック図
【図２】実施例１における状態遷移図
【図３】実施例１における画像形成装置が自動起動した時タイムチャート
【図４】実施例１における画像形成装置が自動停止した時タイムチャート
【図５】従来例における画像形成装置のブロック図
【図６】従来例における画像形成装置の起動／停止動作を説明するブロック図
【図７】従来例における状態遷移図
【図８】従来例における画像形成装置が自動起動した時タイムチャート
【図９】従来例における画像形成装置が自動停止した時タイムチャート
【発明を実施するための形態】
【００３０】
［実施例１］
本実施例１は従来例の画像形成装置に対して、タイマーＩＣに記憶手段を設け、商用電源遮断何からの復帰後に自動停止機能に戻る事で、商用電源遮断からの復帰後もユーザの意図通りの動作をするものである。実施例１の説明では、前記記憶手段の回路ブロック構成とその動作について従来例との差異を説明する。
【００３１】
図１は実施例１における商用電源遮断から復帰する際の動作を説明するブロック図である。前記３３は時刻設定回路であるが、実施例１の時刻設定回路の時刻を記憶する記憶手段は商用電源が遮断しても設定された時刻が消去されない様に不揮発性メモリで構成されるものとする。５０は、本実施例１で追加された記憶手段であり、前記電池３６から電力供給を受け駆動されており商用電源が遮断しても情報が消去されない構成となっている。続いて前記記憶手段５０への情報の書き込み方法を以下に説明する。前記ＣＰＵ１２から従来例で説明した自動起動機能をセットするか否かを命令する自動起動駆動信号５１を前記記憶手段へ送信し、自動停止機能が動作し前記画像形成装置の停止処理４３を行なう際に自動起動機能を動作させたことを記憶し、電源が起動した際に自動起動機能の動作が停止した事を記憶する。
【００３２】
一方、前記電源スイッチ２６を動作させることで画像形成装置を停止させた場合は自動起動機能を動作させず前記停止処理を行い画像形成装置は停止する。このように画像形成装置が停止している時は自動起動機能が動作しているか否かが設定されている。
【００３３】
続いて、前記記憶手段５０は、自動起動機能の有無に基き、自動起動機能が動作している場合は、Ｈｉｇｈレベル、動作していない場合は、Ｌｏｗレベルを第２のＡＮＤ回路５２へ出力する。前記第２のＡＮＤ回路５２のもう一方の入力は、従来例で説明した前記ＡＮＤ回路３４の出力信号６９を受信し、同時にＨｉｇｈレベルとなった時だけＨｉｇｈを出力し前記スイッチ機構であるＦＥＴ１３をオンさせ画像形成装置の電源を起動させる。つまり、前記第２のＡＮＤ回路は、前記タイマーＩＣ２５により設定された時刻に至った場合、かつ、自動起動機能が動作している場合にＨｉｇｈレベルを出力し画像形成装置を起動させる。
【００３４】
続いて、図２は実施例１における状態遷移図であり、従来例から追加し、商用電源遮断が発生した際の状態遷移を説明する。従来例と異なる動作をする箇所と、追加された状態の説明を行なう。従来と異なる動作としては、まず、前記スタンバイ状態４２で自動停止動作４７により停止処理が行なわれる状態に遷移するのであるが、前記停止処理の際に前記記憶手段に自動起動機能が動作した情報を書き込む動作を行なう第２の停止処理５３が行なわれる。
【００３５】
また、従来例で説明した初期化処理４０の状態では、自動起動機能を停止させる動作を追加した第２の初期化処理５４を行なう。続いて商用電源遮断が発生した際の状態遷移の様子を説明する。商用電源遮断が発生した場合５６、全ての状態から商用電源が遮断された状態５５へ遷移する。やがて商用電源遮断から復帰する５７と前記記憶手段５０の情報に基き商用電源遮断前に自動起動機能が動作していた場合は、前記自動起動機能が動作している状態の画像形成装置の停止状態４８に遷移し、商用電源遮断前に自動起動機能が停止していた場合、自動起動機能はそのまま停止した状態の前記画像形成装置の停止状態３８に遷移する。
【００３６】
続いて画像形成装置が自動起動した時の動作に関してタイムチャートを用いて説明する。図３は画像形成装置が自動起動した時タイムチャートである。設定された時刻（06：00）になると前記設定時刻信号６０が一時的にＨｉｇｈとなり前記出力側電源ライン１５がＨｉｇｈに切り替わる動作は従来例で説明した動作と同じである。本実施例では前記出力側電源ライン１５がＨｉｇｈに切り替わった後、前記ＣＰＵ１２の起動後、前記記憶手段５０の出力信号６８がＨｉｇｈからＬｏｗに切り替わる事により前記ＡＮＤ回路の出力がＨｉｇｈになったとしても前期スイッチング機構であるＦＥＴ１３のオンを禁止し自動起動機能をオフさせる。
【００３７】
続いて画像形成装置が自動停止した時の動作に関してタイムチャートを用いて説明する。図４は画像形成装置が自動停止した時タイムチャートである。設定された時刻になると前記オンオフ信号２０がＨｉｇｈからＬｏｗに切り替わることで前記出力側電源ライン１５がＬｏｗに切り替わる動作は従来例で説明した動作と同じである。
【００３８】
本実施例では前記停止処理期間７１中に、前記記憶手段５０の出力信号６８がＬｏｗからＨｉｇｈに切り替わる事により、前記ＡＮＤ回路の出力信号がＨｉｇｈになった時には前期スイッチング機構であるＦＥＴ１３をオンする自動起動機能をオンさせる動作を行うことで前記自動起動機能をオンさせる。また、前記記憶手段５０の電力は前記２次電池３６から供給している為、前記商用電源１の電力供給が絶たれても前記記憶手段に設定された自動起動機能の設定は記憶されており、前記商用電源１の電力が再度供給されると、電力が絶たれる前の自動起動機能の設定に戻る。
【００３９】
以上、説明したように実施例１の画像形成装置は、商用電源遮断から復帰した際に商用電源遮断前の自動起動機能の設定状態に画像形成装置が復帰する事が出来、ユーザの意図通りの動作をする事が出来る。
【符号の説明】
【００４０】
１：商用電源
２：電源用ラインフィルタ
３：第１のＡＣＤＣコンバータ
４：電源用リレー
５：第２のＡＣＤＣコンバータ
６：アクチュエータ群
７：定着器用リレー
８：定着用ＡＣフィルタ
９：ヒータ
１０：定着駆動回路
１１：サーミスタ
１２：ＣＰＵ
１３：スイッチ機構であるＦＥＴ
１４：入力側電源ライン
１５：出力側電源ライン
１６：電源スイッチ回路
１７：ＮＯＲ回路
１８：プルアップ抵抗
１９：ゲート抵抗
２０：オンオフ制御信号
２１：オンオフ信号
２２：センサ群
２３：コントローラ
２４：画像処理回路
２５：タイマーＩＣ
２６：電源スイッチ
２７：電流制限抵抗
２８：電源スイッチ用コンデンサ
２９：電源スイッチ用コンデンサの放電抵抗
３０：電源スイッチ用デジタルトランジスタ
３１：スイッチ機構であるＦＥＴオンオフ制御用デジタルトランジスタ
３２：自動停止信号
３３：時刻設定回路
３４：ＡＮＤ回路
３５：タイマー
３６：電池
３７：自動起動用デジタルトランジスタ
３８：画像形成装置の停止状態
３９：電源スイッチ押す
４０：初期化処理
４１：初期化処理完了
４２：スタンバイ状態
４３：停止処理
４４：停止処理完了
４５：プリント開始
４６：プリント状態
４７：自動停止動作
４８：自動起動動作時の画像形成装置の停止状態
４９： 自動起動動作若しくは電源スイッチ押す
５０：記憶手段
５１：自動起動駆動信号
５２：第２のＡＮＤ回路
５３：第２の停止処理
５４：第２の初期化処理
５５：商用電源遮断
５６：商用電源遮断発生
５７：商用電源遮断復帰
５８：自動起動用コンデンサ
５９：自動起動用放電抵抗
６０：設定時刻信号
６１：時刻情報信号
６２：午前６時のタイミング
６３：時刻監視回路３３の出力
６４：自動起動用デジタルトランジスタ３７のベース電圧
６５：自動起動用デジタルトランジスタ３７のオン／オフ状態
６６：スイッチ機構であるＦＥＴ１３のゲート電圧
６７： 自動停止時刻受信
６８：記憶手段５０の出力信号
６９：ＡＮＤ回路３４の出力信号
７０：ベース閾値電圧
７１：停止処理期間
【図１】
2012145857.tif 000003
【図２】
2012145857.tif 000004
【図３】
2012145857.tif 000005
【図４】
2012145857.tif 000006
【図５】
2012145857.tif 000007
【図６】
2012145857.tif 000008
【図７】
2012145857.tif 000009
【図８】
2012145857.tif 000010
【図９】
2012145857.tif 000011